(57)【特許請求の範囲】
【請求項１】
他装置と通信する通信装置と演算装置とを備えた運賃決済システムにおいて、
前記演算装置は、
交通機関の駅務機器より、当該駅務機器での入場希望者の運賃決済用媒体に関する読取り結果を取得し、当該読取り結果に含まれる運賃決済用媒体の識別情報が、前記交通機関に関する所定の利用制限対象情報に含まれるか判定し、前記識別情報が前記利用制限対象情報に含まれていない場合、前記駅務機器に対して入場許可を通知する処理と、前記運賃決済用媒体に関する最低運賃分の決済要求を所定の決済システムに通知する処理とを実行し、
前記最低運賃分の決済要求に伴う前記決済システムでの決済結果が、決済失敗を示すものであった場合、当該運賃決済用媒体の識別情報を、前記利用制限対象情報に書き込む処理を実行し、
所定の駅務機器より得た、当該駅務機器での出場希望者の運賃決済用媒体に関する読取り結果が含む、運賃決済用媒体の識別情報が、前記利用制限対象情報に書き込まれた前記識別情報である場合、前記駅務機器に対して出場拒否を通知する処理を更に実行するものである、
ことを特徴とする運賃決済システム。
【請求項２】
前記演算装置は、
前記最低運賃分の決済要求に伴う前記決済システムでの決済結果が、決済成功を示すものであり、その後、所定の駅務機器より出場希望者に関して得た読取り結果が、当該運賃決済用媒体に関するものであった場合、当該出場希望者に関する運賃精算要求を、前記決済システムに通知する処理を更に実行するものである、
ことを特徴とする請求項１に記載の運賃決済システム。
【請求項３】
前記演算装置は、
前記運賃精算要求に伴う前記決済システムでの精算結果が、精算失敗を示すものであり、かつ、所定指示を所定装置より受けた場合、当該運賃決済用媒体の識別情報を、前記利用制限対象情報に書き込む処理を実行するものである、
ことを特徴とする請求項２に記載の運賃決済システム。
【請求項４】
他装置と通信する通信装置と演算装置とを備えた運賃決済システムにおいて、
前記演算装置は、
交通機関の駅務機器より、当該駅務機器での入場希望者の運賃決済用媒体に関する読取り結果を取得し、当該読取り結果に含まれる運賃決済用媒体の識別情報が、前記交通機関に関する所定の利用制限対象情報に含まれるか判定し、前記識別情報が前記利用制限対象情報に含まれていない場合、前記駅務機器に対して入場許可を通知する処理と、前記運賃決済用媒体に関する最低運賃分の決済要求を所定の決済システムに通知する処理とを実行し、
前記利用制限対象情報に識別情報が登録された運賃決済用媒体に関して、未払い運賃に関する精算完了の通知を所定装置から受信した場合、前記利用制限対象情報における当該識別情報の登録を削除する処理を更に実行するものである、
ことを特徴とする運賃決済システム。
【請求項５】
前記演算装置は、
所定のネットワークを介して前記交通機関の駅務機器より前記読取り結果を取得し、前記識別情報が前記利用制限対象情報に含まれていない場合、前記ネットワークを介して前記駅務機器に対して入場許可を通知し、前記運賃決済用媒体に関する最低運賃分の決済要求を所定のネットワークを介して所定の決済システムに通知するものである、
ことを特徴とする請求項１または４に記載の運賃決済システム。
【請求項６】
前記演算装置による各処理に対応した機能を、所定ネットワーク上におけるクラウドサービスとして他装置に提供する構成としたことを特徴とする請求項１または４に記載の運賃決済システム。
【請求項７】
他装置と通信する通信装置と演算装置とを備えた運賃決済システムにおいて、
前記演算装置は、
交通機関の駅務機器より、当該駅務機器での入場希望者の運賃決済用媒体に関する読取り結果を取得し、当該読取り結果に含まれる運賃決済用媒体の識別情報が、前記交通機関に関する所定の利用制限対象情報に含まれるか判定し、前記識別情報が前記利用制限対象情報に含まれていない場合、前記駅務機器に対して入場許可を通知する処理と、前記運賃決済用媒体に関する最低運賃分の決済要求を所定の決済システムに通知する処理とを実行し、
前記最低運賃分の決済要求に伴う前記決済システムでの決済結果が、決済失敗を示すものであった場合、当該運賃決済用媒体の識別情報を、前記利用制限対象情報に書き込む処理を実行し、
所定の駅務機器より得た、当該駅務機器での出場希望者の運賃決済用媒体に関する読取り結果が含む、運賃決済用媒体の識別情報が、前記利用制限対象情報に書き込まれた前記識別情報である場合、前記駅務機器に対して出場拒否を通知する処理を更に実行する、
ことを特徴とする運賃決済方法。
【請求項８】
前記演算装置は、
前記最低運賃分の決済要求に伴う前記決済システムでの決済結果が、決済成功を示すものであり、その後、所定の駅務機器より出場希望者に関して得た読取り結果が、当該運賃決済用媒体に関するものであった場合、当該出場希望者に関する運賃精算要求を、前記決済システムに通知する処理を更に実行する、
ことを特徴とする請求項７に記載の運賃決済方法。
【請求項９】
前記演算装置は、
前記運賃精算要求に伴う前記決済システムでの精算結果が、精算失敗を示すものであり、かつ、所定指示を所定装置より受けた場合、当該運賃決済用媒体の識別情報を、前記利用制限対象情報に書き込む処理を実行する、
ことを特徴とする請求項８に記載の運賃決済方法。
【請求項１０】
他装置と通信する通信装置と演算装置とを備えた運賃決済システムにおいて、
前記演算装置は、
交通機関の駅務機器より、当該駅務機器での入場希望者の運賃決済用媒体に関する読取り結果を取得し、当該読取り結果に含まれる運賃決済用媒体の識別情報が、前記交通機関に関する所定の利用制限対象情報に含まれるか判定し、前記識別情報が前記利用制限対象情報に含まれていない場合、前記駅務機器に対して入場許可を通知する処理と、前記運賃決済用媒体に関する最低運賃分の決済要求を所定の決済システムに通知する処理とを実行し、
前記利用制限対象情報に識別情報が登録された運賃決済用媒体に関して、未払い運賃に関する精算完了の通知を所定装置から受信した場合、前記利用制限対象情報における当該識別情報の登録を削除する処理を更に実行する、
ことを特徴とする運賃決済方法。
【請求項１１】
前記演算装置は、
所定のネットワークを介して前記交通機関の駅務機器より前記読取り結果を取得し、前記識別情報が前記利用制限対象情報に含まれていない場合、前記ネットワークを介して前記駅務機器に対して入場許可を通知し、前記運賃決済用媒体に関する最低運賃分の決済要求を所定のネットワークを介して所定の決済システムに通知する、
ことを特徴とする請求項７または１０に記載の運賃決済方法。
【請求項１２】
前記演算装置による各処理に対応した機能を、所定ネットワーク上におけるクラウドサービスとして他装置に提供することを特徴とする請求項７または１０に記載の運賃決済方法。
【発明の詳細な説明】
【技術分野】
【０００１】  本発明は、運賃決済システムおよび運賃決済方法に関する。
【背景技術】
【０００２】  現在、公共交通機関において、紙の切符ではなく、ＲＦＩＤを内蔵したトークンや非接触型のカードによる運賃決済手法が世界的な標準になりつつある。特に都市における公共交通機関においてはその傾向が顕著である。【０００３】  また、そうした非接触型のカードによる運賃決済手法において、いわゆるポストペイド式の運賃決済手法も提案されている。該当技術と関連する従来技術としては、例えば、複数の自動改札装置と、交通事業者端末装置と、複数の雇用者端末装置とがネットワークを介して接続されたネットワークシステムに於ける運賃請求方法であって、前記各自動改札装置は、入札時に於いては、入札者が所有しているカードに記録されている利用者ＩＤと入札場所とを含む利用開始データを前記交通事業者端末装置に送信し、出札時に於いては、出札者が所有しているカードに記録されている利用者ＩＤと出札場所とを含む利用終了データを前記交通事業者端末装置へ送信し、前記交通事業者端末装置は、自動改札装置から送られてきた利用者ＩＤが同一の利用開始データと利用終了データとに基づいて前記利用者ＩＤの利用者に対する運賃を算出し、該算出した運賃を含む運賃請求データを、前記複数の雇用者端末装置の内の、前記利用者ＩＤに対して予め決められている雇用者端末装置へ送信し、前記各雇用者端末装置は、前記交通事業者端末装置から送られてきた運賃請求データを記憶装置に格納することを特徴とする運賃請求方法（特許文献１参照）などが提案されている。
【先行技術文献】
【特許文献】
【０００４】
【特許文献１】特開２００２−１３３４５３号公報
【発明の概要】
【発明が解決しようとする課題】
【０００５】  ところが、上述した運賃決済手法で用いられる非接触型のカードとそのリーダ端末は、一般的には、交通機関ごとに専用のものであったり、運賃決済にのみ使用可能であるケースが多く、導入、運用のコストが大きくなりがちである。また、こうした非接触型のカードをポストペイド式の運賃決済手法に適用する場合、国や地域によっては決済口座の残高不足等による決済リスクが大きくなり、導入のハードルが高い。【０００６】  そこで本発明の目的は、交通機関ユーザにおける良好な利便性と、交通事業者や決済事業者における決済リスク低減とを両立する技術を提供することにある。
【課題を解決するための手段】
【０００７】  上記課題を解決する本発明の運賃決済システムは、他装置と通信する通信装置と、交通機関の駅務機器より、当該駅務機器での入場希望者の運賃決済用媒体に関する読取り結果を取得し、当該読取り結果に含まれる運賃決済用媒体の識別情報が、前記交通機関に関する所定の利用制限対象情報に含まれるか判定し、前記識別情報が前記利用制限情報に含まれていない場合、前記駅務機器に対して入場許可を通知する処理と、前記運賃決済用媒体に関する最低運賃分の決済要求を所定の決済システムに通知する処理とを実行する演算装置と、を含むことを特徴とする。【０００８】  また、本発明の運賃決済方法は、他装置と通信する通信装置を備えた情報処理システムが、交通機関の駅務機器より、当該駅務機器での入場希望者の運賃決済用媒体に関する読取り結果を取得し、当該読取り結果に含まれる運賃決済用媒体の識別情報が、前記交通機関に関する所定の利用制限対象情報に含まれるか判定し、前記識別情報が前記利用制限情報に含まれていない場合、前記駅務機器に対して入場許可を通知する処理と、前記運賃決済用媒体に関する最低運賃分の決済要求を所定の決済システムに通知する処理とを実行する、ことを特徴とする。
【発明の効果】
【０００９】  本発明によれば、交通機関ユーザにおける良好な利便性と、交通事業者や決済事業者における決済リスク低減とを両立可能となる。
【図面の簡単な説明】
【００１０】
【図１】本実施形態における運賃決済システムを含むネットワーク構成図である。
【図２】本実施形態の運賃決済システムのハードウェア構成例を示す図である。
【図３】本実施形態におけるブロックリストのデータ構成例を示す図である。
【図４】本実施形態におけるカード情報テーブルのデータ構成例を示す図である。
【図５】本実施形態における運賃計算用テーブルのデータ構成例を示す図である。
【図６】本実施形態の運賃決済方法の手順例１を示すフロー図である。
【図７】本実施形態の運賃決済方法の手順例２を示すフロー図である。
【図８】本実施形態の表示例１を示す図である。
【図９】本実施形態の運賃決済方法の手順例３を示すフロー図である。
【図１０】本実施形態の表示例２を示す図である。
【発明を実施するための形態】
【００１１】−−−ネットワーク構成−−−  以下に本発明の実施形態について図面を用いて詳細に説明する。図１は本実施形態の運賃決済システム１００を含むネットワーク構成例を示す図である。図１に示す運賃決済システム１００は、交通機関ユーザにおける良好な利便性と、交通事業者や決済事業者における決済リスク低減とを両立するためのコンピュータシステムである。
【００１２】  こうした運賃決済システム１００は、適宜なネットワーク１０を介し、少なくとも、交通機関の各駅務機器２００、交通機関の運賃決済を担う金融機関サーバ３００、および精算用端末４００と、データ通信可能に接続されている。運賃決済システム１００は、具体的には、サーバ装置を想定する。ここで、運賃決済システム１００における各機能を、ネットワーク１０上におけるクラウドサービスとして提供するとしてもよい。この場合、運賃決済システム１００をいわゆるオンプレミスで交通事業者ごとに導入および運用する場合と比較し、運賃決済システム向けのコンピュータリソースを交通事業者間を跨がって効率的に導入、運用することが可能となり、各種コストや手間を大幅に低減出来る。なお、クラウドサービスとして運賃決済システム１００の機能を提供する場合、サービス提供用の１または複数のサーバ装置をネットワーク１０上に配置し、これに、運賃決済システム１００の記憶装置１０１で保持するプログラムや各種データ類を適宜に配置する。また、このサーバ装置には、ネットワーク１０のプロトコルに基づく、交通事業者等の装置からの所定指示に対し、運賃決済システム１００としての処理を実行し、その処理結果を返すサーバ機能が当然備わる。
【００１３】  また、上述のネットワーク１０としては、インターネットや携帯電話網といった所定の公衆回線網や、或いは専用回線など、状況に応じて適宜に採用してよい。
【００１４】  なお、本実施形態における交通機関および駅務機器２００の例としては、鉄道およびその鉄道駅における開閉扉２１１を備えた改札装置を想定するが、こうした組み合わせに限定せず、施設等における入出場管理を行う交通機関とその駅務機器であれば、いずれのものでも適宜に適用出来る。
【００１５】  また、交通機関のユーザが鉄道利用に際して携行し、上述の駅務機器２００にタッチあるいは接近させるのが、運賃決済用媒体である。本実施形態では、その一例として、銀行ＩＣカード５０を想定する。本実施形態の銀行ＩＣカード５０は、運賃決済用媒体であるが、従来の交通系ＩＣカードの如くバリュー（運賃決済資金の情報）を自身で保持する必要がない、一般的なＩＣキャッシュカードである。従って、上述の駅務機器２００は、従来の交通系ＩＣカード向けのカードリーダではなく、この銀行ＩＣカード５０向けの読取り手段であるカードリーダ２１０を備えている。
【００１６】  ユーザにとって、この銀行ＩＣカード５０は、ショッピング時のデビット決済や現金引き出しに日常的に用いていたカードである。よって、本実施形態の運賃決済手法を採用することで、当該銀行ＩＣカード５０のみで交通機関の運賃決済用途も含めて様々な決済が可能になることを意味する。
【００１７】  なお、銀行ＩＣカード５０は、ＥＭＶカード（グローバルスタンダードカード）である。また、銀行ＩＣカード５０は、カード形式のものではなく、例えば携帯端末に内蔵されたＩＣチップを想定してもよい。
【００１８】  また、金融機関サーバ３００は、上述の銀行ＩＣカード５０の発行金融機関が運用するサーバである。この金融機関サーバ３００は、銀行ＩＣカード５０に紐付く銀行口座に関する各種情報を口座管理情報３２５で管理している。この口座管理情報３２５は、一般的な口座情報を、各ユーザにごとに保持するものであり、例えば、口座番号、支店名、科目、ユーザ情報（氏名、住所など）、該当ユーザの銀行ＩＣカード５０のカードＩＤ、および、口座残高、といった値を含むレコードの集合体である。
【００１９】  また、精算用端末４００は、鉄道駅の構内に設置され、未払い運賃の精算処理を実行する端末である。未払い運賃のあるユーザは、駅務機器２００での出場拒否などを受けて、この精算用端末４００を訪れ、銀行ＩＣカード５０を提示して未払い運賃の額に応じた現金投入動作などを行い、精算手続を行うことになる。精算用端末４００は、この未払い運賃の精算処理の結果を、運賃決済システム１００に通知する。
【００２０】−−−ハードウェア構成例−−−  図２は、本実施形態における運賃決済システム１００のハードウェア構成例を示す図である。また、運賃決済システム１００のハードウェア構成は以下の如くとなる。
【００２１】  すなわち、本実施形態の運賃決済システム１００は、ハードディスクドライブなど適宜な不揮発性記憶素子で構成される記憶装置１０１、ＲＡＭなど揮発性記憶素子で構成されるメモリ１０３、記憶装置１０１に保持されるプログラム１０２をメモリ１０３に読み出すなどして実行しシステム自体の統括制御を行なうとともに各種判定、演算及び制御処理を行なうＣＰＵなどの演算装置１０４、ネットワーク１０と接続して他装置との通信処理を担う通信装置１０５を少なくとも備える。
【００２２】  なお、記憶装置１０１には、本実施形態の運賃決済システムとしての機能を実装するプログラム１０２の他に、ブロックリスト１２５、カード情報テーブル１２６、および、運賃計算用テーブル１２７を保持するものとする。これらのデータ構造等についての詳細は後述する。また、この記憶装置１０１は、最低運賃情報１１０を保持している。最低運賃情報１１０は、ユーザが駅務機器２００を通じて入場動作を行う際、当該ユーザの銀行ＩＣカード５０に紐付く銀行口座から引き落として決済する、最低運賃分の金額を示すものである。
【００２３】−−−データ構成例−−−  続いて、本実施形態の運賃決済システム１００が用いるデータベース類について説明する。図３に、本実施形態におけるブロックリスト１２５の一例を示す。
【００２４】  本実施形態のブロックリスト１２５は、上述の交通機関の利用制限対象となってユーザに関する情報を格納したテーブルである。
【００２５】  そのデータ構造は、利用制限対象となったユーザの銀行ＩＣカード５０を一意に特定するカードＩＤをキーとして、登録日時、および、消去フラグといったデータを対応付けされたレコードの集合体となっている。このうち、消去フラグは、一旦登録された銀行ＩＣカード５０であっても、未払い運賃の精算処理を経て利用制限対象ではなくなった場合に、レコード自体を消去せず、当該消去フラグに所定値（例：１）を設定することで、利用制限対象から除外指定するためのフラグである。
【００２６】  また、図４は本実施形態におけるカード情報テーブル１２６のデータ構成例を示す図である。本実施形態のカード情報テーブル１２６は、銀行ＩＣカード５０に関する各種情報を格納したテーブルである。
【００２７】  そのデータ構造は、上述の銀行ＩＣカード５０を一意に特定するカードＩＤをキーとして、当該銀行ＩＣカード５０を携行したユーザが、所定の駅務機器２００を介して入場動作を行った入場駅のＩＤと入場日時、入場時の最低運賃分の決済成否を示す事前決済フラグ（決済成功で“１”、決済失敗で“０”）、上述のユーザが当該入場後に出場動作を行った出場駅のＩＤと出場日時、および、出場時の運賃精算の成否を示す精算成否フラグ（精算成功で“１”、精算失敗で“０”）、といったデータを対応付けされたレコードの集合体となっている。
【００２８】  図４で例示するカード情報テーブル１２６において、例えばカードＩＤ「６７８９０１２３」のレコードは、出場駅ＩＤ、出場日時、および精算成否フラグの値が未登録となている。これは、該当銀行ＩＣカード５０のユーザが、駅「Ｐ」で入場後、まだ出場動作を行っていないことを示している。
【００２９】  なお、カード情報テーブル１２６における、事前決済フラグおよび精算成否フラグの各値は、運賃決済システム１００が、金融機関サーバ３００から決済成否および運賃精算の成否の結果を得て設定するものである。
【００３０】  また、図５は本実施形態における運賃計算用テーブル１２７のデータ構成例を示す図である。本実施形態の運賃計算用テーブル１２７は、交通機関における各駅を入場駅および出場駅として組み合わせた場合の運賃の情報を格納したテーブルである。
【００３１】  そのデータ構造は、入場駅および出場駅と、該当駅間に設定されている運賃の値とを対応付けされたレコードの集合体となっている。
【００３２】−−−フロー例１−−−  以下、本実施形態における運賃決済方法の実際手順について図に基づき説明する。以下で説明する運賃決済方法に対応する各種動作は、運賃決済システム１００がメモリ１０３に読み出して実行するプログラムによって実現される。そして、これらのプログラムは、以下に説明される各種の動作を行うためのコードから構成されている。
【００３３】  図６は、本実施形態における運賃決済方法の処理手順例１を示すフロー図である。ここで、交通機関の或るユーザが、銀行ＩＣカード５０を携行して鉄道駅Ｃを訪れたとする。また、この銀行ＩＣカード５０に紐付く銀行口座には、１０００円の預金残高があったとする。
【００３４】  この状況下において、上述のユーザが、鉄道駅Ｃの改札口から入場しようと、所定の駅務機器２００に対し、その銀行ＩＣカード５０をかざしたとする。駅務機器２００は、カードリーダ２１０によって、銀行ＩＣカード５０に対する読み取り動作を実行し、当該銀行ＩＣカード５０のＩＣチップが保持する情報を読取り結果として取得し、これを運賃決済システム１００に送信する（ｓ１００）。ここで駅務機器２００が運賃決済システム１００に送信する読取り結果には、銀行ＩＣカード５０が保持するカードＩＤ（例：４５６７８９０１）の他、駅務機器２００の設置駅、すなわち入場駅のＩＤすなわち「Ｃ」と入場日時（例：２０１６／１１／２０  １１：０８）の各値も含まれる。
【００３５】  一方、運賃決済システム１００は、駅務機器２００から上述の読取り結果を受信し、この読取り結果に含まれるカードＩＤ「４５６７８９０１」を、ブロックリスト１２５に照合する（ｓ１０１）。
【００３６】  この照合の結果、該当カードＩＤ「４５６７８９０１」がブロックリスト１２５に含まれている場合（ｓ１０２：ｙ）、運賃決済システム１００は、上述の駅務機器２００に対し、このカードＩＤ「４５６７８９０１」に対応した上述のユーザに関して入場を拒否する旨の通知を送信し（ｓ１０３）、処理を終了する。この通知は、該当カードＩＤと、開閉扉２１１の閉鎖指示とを含むものとなる。
【００３７】  他方、上述の照合の結果、該当カードＩＤ「４５６７８９０１」がブロックリスト１２５に含まれていない場合（ｓ１０２：ｎ）、運賃決済システム１００は、上述の駅務機器２００に対し、このカードＩＤ「４５６７８９０１」に対応した上述のユーザに関して入場を許可する旨の通知を送信する（ｓ１０４）。この通知は、該当カードＩＤと、開閉扉２１１の開放指示とを含むものとなる。
【００３８】  また、運賃決済システム１００は、該当カードＩＤ「４５６７８９０１」に関して、上述の入場駅のＩＤ「Ｃ」および入場日時「２０１６／１１／２０  １１：０８」の各値を紐付けたレコードを生成し、カード情報テーブル１２６に登録する（ｓ１０５）。
【００３９】  また、運賃決済システム１００は、上述の銀行ＩＣカード５０に関する最低運賃分の決済要求を、金融機関サーバ３００に通知する（ｓ１０６）。運賃決済システム１００は、この決済要求を通知するに際し、最低運賃情報１１０の値（例：５０円）を決済額とし、該当カードＩＤを決済対象とした決済要求の電文を生成、送信することとなる。
【００４０】  他方、金融機関サーバ３００は、上述の最低運賃分の決済要求を受信し、この決済要求が示すカードＩＤ「４５６７８９０１」をキーに、口座管理情報３２５にて該当口座を特定し、該当口座の預金残高「１０００円」を原資とした最低運賃分「５０円」の決済処理を、当該金融機関の勘定系に指示し、その決済結果を取得する（ｓ１０７）。
【００４１】  この時、勘定系では、該当口座の預金残高「１０００円」から最低運賃分「５０円」を引き落とす処理を行い、該当口座の預金残高を「９５０円」に更新することになる。こうして引き落とし処理を実行出来た場合、勘定系としては決済成功の旨を金融機関サーバ３００に返す。勿論、最低運賃分の金額に対して預金残高が不足していた場合、引き落とし処理は実行できず、勘定系としては決済失敗の旨を金融機関サーバ３００に返すことになる。
【００４２】  また、金融機関サーバ３００は、ｓ１０７で得た、最低運賃分の決済要求に対する決済結果を、運賃決済システム１００に送信する（ｓ１０８）。
【００４３】  運賃決済システム１００は、上述の決済結果を金融機関サーバ３００から取得し、この決済結果が決済成功を示すものである場合（ｓ１０９：ｙ）、カードＩＤ「４５６７８９０１」のレコードにおける事前決済フラグに「１」を登録する（ｓ１１０）。
【００４４】  一方、上述の最低運賃分の決済結果が決済失敗を示すものである場合（ｓ１０９：ｎ）、運賃決済システム１００は、カードＩＤ「４５６７８９０１」のレコードにおける事前決済フラグに「０」を登録すると共に、ブロックリスト１２５に該当カードＩＤを登録する（ｓ１１１）。従って、この場合のカードＩＤ「４５６７８９０１」のユーザが、以降にどこかの鉄道駅の駅務機器２００にて入場動作を行ったとしても、あらためて実行される上述のステップｓ１０１の処理にて、該当カードＩＤ「４５６７８９０１」がブロックリスト１２５に含まれていると判定され、該当駅務機器２００にて入場が拒否される結果となる。
【００４５】  ここまでの処理で、入場動作を行ったユーザに関する処理が終了する。以後、当該ユーザが所定の鉄道駅から出場する際の処理を次のフロー例２にて説明する。
【００４６】−−−フロー例２−−−  続いて、駅務機器２００を介して鉄道駅構内（或いは列車自体）への入場を果たしたユーザが、出場動作を行った状況に対応した処理について説明する。図７は本実施形態の運賃決済方法の手順例２を示すフロー図である。ここでは、上述のフロー例１で示した、カードＩＤ「４５６７８９０１」の銀行ＩＣカード５０を携行し、鉄道駅「Ｃ」で入場したユーザが、鉄道駅「Ｆ」にて出場動作を行うケースを想定する。
【００４７】  この状況下において、上述のユーザが、鉄道駅「Ｆ」の改札口から出場しようと、所定の駅務機器２００に対し、その銀行ＩＣカード５０をかざしたとする。駅務機器２００は、カードリーダ２１０によって、銀行ＩＣカード５０に対する読み取り動作を実行し、当該銀行ＩＣカード５０のＩＣチップが保持する情報を読取り結果として取得し、これを運賃決済システム１００に送信する（ｓ２００）。ここで駅務機器２００が運賃決済システム１００に送信する読取り結果には、銀行ＩＣカード５０が保持するカードＩＤ（例：４５６７８９０１）の他、駅務機器２００の設置駅、すなわち出場駅のＩＤすなわち「Ｆ」と出場日時（例：２０１６／１１／２０  １１：２２）の各値も含まれる。
【００４８】  一方、運賃決済システム１００は、駅務機器２００から上述の読取り結果を受信し、この読取り結果に含まれるカードＩＤ「４５６７８９０１」を、ブロックリスト１２５に照合する（ｓ２０１）。ここで、該当ユーザの銀行ＩＣカード５０に関して、フロー例１における入場時の最低運賃分の決済に失敗していれば、ブロックリスト１２５にカードＩＤが登録されており、入場時の最低運賃分の決済に成功していれば、ブロックリスト１２５にカードＩＤは登録されていない。
【００４９】  上述の照合の結果、該当カードＩＤ「４５６７８９０１」がブロックリスト１２５に含まれている場合（ｓ２０２：ｙ）、運賃決済システム１００は、上述の駅務機器２００に対し、このカードＩＤ「４５６７８９０１」に対応した上述のユーザに関して出場を拒否する旨の通知を送信し（ｓ２０３）、処理を終了する。この通知は、該当カードＩＤと開閉扉２１１の閉鎖指示と、好ましくは更に、運賃精算を促す所定情報を含むものとなる。
【００５０】  この所定情報は、駅務機器２００で受信され、当該駅務機器２００の表示装置にて所定のアラート（所定の音やテキストメッセージなど）として出力される（図８の表示例８００参照）。これを認識したユーザは、銀行ＩＣカード５０を携行して最寄りの精算用端末４００を訪れ、未払い運賃の精算手続を行うこととなる。この未払い運賃の精算手続に伴う処理については、フロー例３で後述する。
【００５１】  他方、上述の照合の結果、該当カードＩＤ「４５６７８９０１」がブロックリスト１２５に含まれていない場合（ｓ２０２：ｎ）、運賃決済システム１００は、上述の駅務機器２００に対し、このカードＩＤ「４５６７８９０１」に対応した上述のユーザに関して出場を許可する旨の通知を送信する（ｓ２０４）。この通知は、該当カードＩＤと、開閉扉２１１の開放指示とを含むものとなる。
【００５２】  また、運賃決済システム１００は、該当カードＩＤ「４５６７８９０１」に関して、上述の出場駅のＩＤ「Ｆ」および出場日時「２０１６／１１／２０  １１：２２」の各値を、カード情報テーブル１２６において入場時に生成済みのレコードに登録する（ｓ２０５）。
【００５３】  また、運賃決済システム１００は、カード情報テーブル１２６におけるカードＩＤ「４５６７８９０１」のレコードから、入場駅ＩＤ「Ｃ」および出場駅ＩＤ「Ｆ」の各値を取得して、これを運賃計算用テーブル１２７に照合し、運賃（図５の例であれば、「３８０円」）を特定する（ｓ２０６）。
【００５４】  次に、運賃決済システム１００は、このカードＩＤ「４５６７８９０１」に関しては、決済済みの最低運賃分「５０円」を、上述の運賃「３８０円」から差し引きして、残り運賃「３３０円」を精算額と算定し、当該精算額とカードＩＤ「４５６７８９０１」とを含む、運賃の精算要求を金融機関サーバ３００に通知する（ｓ２０７）。この場合、運賃決済システム１００は、精算要求に応じた電文を生成、送信することとなる。
【００５５】  他方、金融機関サーバ３００は、上述の運賃の精算要求を受信し、この精算要求が示すカードＩＤ「４５６７８９０１」をキーに、口座管理情報３２５にて該当口座を特定し、該当口座の預金残高「９５０円」を原資とした精算額「３３０円」の決済処理を、当該金融機関の勘定系に指示し、その処理結果を取得する（ｓ２０８）。この時、勘定系では、該当口座の預金残高「９５０円」から精算額「３３０円」を引き落とす処理を行い、該当口座の預金残高を「６２０円」に更新することになる。こうして引き落とし処理を実行出来た場合、勘定系としては決済成功の旨を金融機関サーバ３００に返す。勿論、運賃の精算額に対して預金残高が不足していた場合、引き落とし処理は実行できず、勘定系としては決済失敗の旨を金融機関サーバ３００に返すことになる。
【００５６】  また、金融機関サーバ３００は、ｓ２０８で得た、運賃の精算要求に対する決済結果を、運賃決済システム１００に送信する（ｓ２０９）。
【００５７】  運賃決済システム１００は、上述の決済結果を金融機関サーバ３００から取得し、この決済結果が決済成功、すなわち精算成功を示すものである場合（ｓ２１０：ｙ）、カードＩＤ「４５６７８９０１」のレコードにおける精算成否フラグに「１」を登録し（ｓ２１１）、処理を終了する。
【００５８】  一方、上述の決済結果が決済失敗、すなわち精算失敗を示すものである場合（ｓ２１０：ｎ）、運賃決済システム１００は、カードＩＤ「４５６７８９０１」のレコードにおける精算成否フラグに「０」を登録すると共に、ブロックリスト１２５に該当カードＩＤを登録し（ｓ２１２）、処理を終了する。
【００５９】  従って、この場合のカードＩＤ「４５６７８９０１」のユーザが、以降にどこかの鉄道駅の駅務機器２００にて入場動作を行ったとしても、あらためて実行される上述のステップｓ１０１の処理にて、該当カードＩＤ「４５６７８９０１」がブロックリスト１２５に含まれていると判定され、該当駅務機器２００にて入場が拒否される結果となる。
【００６０】  なお、上述のｓ２１２の処理は、自動的に実行する場合の他、運賃決済システム１００が、所定端末から適宜な管理者による実行指示を受けたことを契機に実行するとしてもよい。一方、この管理者による不実行指示を上述の端末から受けた場合、運賃決済システム１００は、該当カードＩＤをブロックリスト１２５に登録せず、処理を終了する。この場合、該当銀行ＩＣカード５０に紐付く銀行口座の預金残高が最低運賃を上回っている限り、以後の該当ユーザによる入場動作を１回以上許容する（フロー例１における、ｓ１０１、ｓ１０２：ｎ、ｓ１０４）ことになるが、いずれかの入場契機における最低運賃分の決済に失敗することになり、カードＩＤ「４５６７８９０１」がブロックリスト１２５に登録（フロー例１におけるｓ１１１）されることになる。
【００６１】−−−フロー例３−−−  続いて、未払い運賃の精算処理について説明する。図９は本実施形態の運賃決済方法の手順例３を示すフロー図である。
【００６２】  上述のフロー例１、２にて、カードＩＤ「４５６７８９０１」がブロックリスト１２５に含まれていると判定された場合、この銀行ＩＣカード５０のユーザは、利用制限を解除すべく、すなわち、ブロックリスト１２５からの該当カードＩＤの登録解除を行うべく、必要な手続を行うことになる。
【００６３】  この契機は、例えば駅務機器２００において開閉扉２１１が閉鎖され出場出来ない事態に陥ったこと、および、駅務機器２００の表示装置にて所定のアラート（所定の音やテキストメッセージなど）を認識したこと、の少なくともいずれかが該当する。
【００６４】  この場合のユーザは、銀行ＩＣカード５０を携行して最寄りの精算用端末４００を訪れ、この精算用端末４００の所定インターフェイスに銀行ＩＣカード５０をセットし、未払い運賃の精算手続を開始することとなる。
【００６５】  精算用端末４００は、所定インターフェイスでの銀行ＩＣカード５０のセット事象を検知し、当該銀行ＩＣカード５０からカードＩＤを読取り、このカードＩＤと出場駅のＩＤとを含む未払い運賃額の確認要求を運賃決済システム１００に送信する（ｓ３００）。
【００６６】  一方、運賃決済システム１００は、上述の確認要求を受信し、該当カードＩＤでカード情報テーブル１２６を検索して、入場駅ＩＤおよび事前決済フラグの各値を取得する（ｓ３０１）。
【００６７】  また、運賃決済システム１００は、ここまで得た入場駅および出場駅の各ＩＤを、運賃計算用テーブル１２７に照合して、運賃を特定する（ｓ３０２）。
【００６８】  また、運賃決済システム１００は、ｓ３０１出た事前決済フラグの値が「１」、すなわち最低運賃分の決済成功を示すものである場合（ｓ３０３：ｙ）、最低運賃の額で、ｓ３０２で特定した運賃を差し引きして、未払い運賃額を算定する（ｓ３０４）。例えば、入場駅が「Ｃ」、出場駅が「Ｆ」である場合、運賃は「３８０円」であり、これから最低運賃の額「５０円」を差し引きすれば、未払い運賃額を「３３０円」と算定出来る。
【００６９】  他方、ｓ３０１出た事前決済フラグの値が「０」、すなわち最低運賃分の決済失敗を示すものである場合（ｓ３０３：ｎ）、ｓ３０２で特定した運賃をそのまま未払い運賃額と特定する（ｓ３０５）。
【００７０】  続いて運賃決済システム１００は、ｓ３０４またはｓ３０５で得た未払い運賃額の値を、精算用端末４００に返信する（ｓ３０６）。
【００７１】  一方、精算用端末４００は、上述の未払い運賃額の値を受信し、これを適宜なインターフェイスに出力（図１０の表示例１０００）し（ｓ３０７）、ユーザによる精算資金投入を待つ。この場合のユーザは、例えば、精算用端末４００の備える現金投入口への、未払い運賃額に応じた現金の投入動作などを行う。或いはユーザは、精算用端末４００が備えるクレジットカードの挿入口へのクレジットカードの挿入動作を行う。
【００７２】  精算用端末４００は、ユーザによる精算資金投入を受けて、投入資金額が未払い運賃額を満たすか判定する（ｓ３０８）。
【００７３】  上述の判定の結果、投入資金額が未払い運賃額を満たす場合（ｓ３０９：ｙ）、精算用端末４００は、未払い運賃の精算成功の通知を運賃決済システム１００に行う（ｓ３１０）。
【００７４】  他方、上述の判定の結果、入資金額が未払い運賃額を満たさない場合（ｓ３０９：ｎ）、精算用端末４００は、追加資金の投入を促すメッセージを所定のインターフェイスに出力し（ｓ３１１）、追加資金投入を待つ。
【００７５】  この場合、精算用端末４００は、一定時間の待機を経て、該当ユーザからの追加資金投入が無かった場合（ｓ３１２：ｎ）、ユーザが投入してきた精算資金の返却動作を行うと共に、未払い運賃の精算失敗の通知を運賃決済システム１００に行う（ｓ３１３）。他方、精算用端末４００は、一定時間の待機を経て、該当ユーザからの追加資金投入があった場合（ｓ３１２：ｙ）、追加資金も加味した投入資金額が未払い運賃額を満たすか、あらためて判定する（ｓ３１４）。
【００７６】  上述の判定の結果、追加資金も加味した投入資金額が未払い運賃額を満たす場合（ｓ３１５：ｙ）、精算用端末４００は、未払い運賃の精算成功の通知を運賃決済システム１００に行う（ｓ３１０）。他方、上述の判定の結果、追加資金も加味した投入資金額が未払い運賃額を満たさない場合（ｓ３１５：ｎ）、精算用端末４００は、処理をｓ３１１に戻す。
【００７７】  一方、運賃決済システム１００は、上述の精算用端末４００から、未払い運賃の精算結果を受信し、この精算結果が精算失敗を示すものである場合（ｓ３１６：ｎ）、処理を終了する。
【００７８】  他方、上述の精算結果が精算成功を示すものである場合（ｓ３１６：ｙ）、運賃決済システム１００は、ブロックリスト１２５における該当カードＩＤの登録削除と、カード情報テーブル１２６の該当レコードにおける精算成否フラグの更新処理を実行し（ｓ３１７）、処理を終了する。具体的には、ブロックリスト１２５における該当カードＩＤのレコードの、消去フラグを「１」に更新し、また、カード情報テーブル１２６の該当レコードの精算成否フラグを「１」に更新する。
【００７９】  なお、鉄道事業者における管轄区を跨いで入出場を行うユーザが存在した場合、運賃決済システム１００は、例えば出場駅の該当駅務機器２００に対し、出場拒否の通知を行うと共に、上述のｓ２０３にて例示した、運賃精算を促す所定処理（運賃精算を促すためのアラート出力であり、当該駅務機器２００の表示装置にて所定の音やテキストメッセージを出力する）を実行するとしてもよい。
【００８０】  本実施形態によれば、交通機関ユーザにおける良好な利便性と、交通事業者や決済事業者における決済リスク低減とを両立可能となる。
【００８１】  本明細書の記載により、少なくとも次のことが明らかにされる。すなわち、本実施形態の運賃決済システムにおいて、前記演算装置は、前記最低運賃分の決済要求に伴う前記決済システムでの決済結果が、決済失敗を示すものであった場合、当該運賃決済用媒体の識別情報を、前記利用制限対象情報に書き込む処理を実行し、所定の駅務機器より得た、当該駅務機器での出場希望者の運賃決済用媒体に関する読取り結果が含む、運賃決済用媒体の識別情報が、前記利用制限対象情報に書き込まれた前記識別情報である場合、前記駅務機器に対して出場拒否を通知する処理を更に実行するものである、としてもよい。
【００８２】  これによれば、最低運賃分の決済資金を有しないユーザに関して、当該機会に関する入出場は許容するものの、その後の入場希望に対しては拒否することで、未払い運賃の精算を当該ユーザに促すことが出来る。つまり、上述の機会における入出場は許容して交通機関ユーザにおける良好な利便性を確保する一方、その後の利用機会での精算を確実なものとすることで交通事業者や決済事業者における決済リスクを低減可能となる。
【００８３】  また、本実施形態の運賃決済システムにおいて、前記演算装置は、前記最低運賃分の決済要求に伴う前記決済システムでの決済結果が、決済成功を示すものであり、その後、所定の駅務機器より出場希望者に関して得た読取り結果が、当該運賃決済用媒体に関するものであった場合、当該出場希望者に関する運賃精算要求を、前記決済システムに通知する処理を更に実行するものである、としてもよい。
【００８４】  これによれば、最低運賃分の決済に成功して入場したユーザが出場することに伴い、必要な運賃の精算を行うことで、スムーズな入出場を図って交通機関ユーザにおける良好な利便性を確保する一方、運賃精算も確実に行うことで交通事業者や決済事業者における決済リスクを低減可能となる。
【００８５】  また、本実施形態の運賃決済システムにおいて、前記演算装置は、前記運賃精算要求に伴う前記決済システムでの精算結果が、精算失敗を示すものであり、かつ、所定指示を所定装置より受けた場合、当該運賃決済用媒体の識別情報を、前記利用制限対象情報に書き込む処理を実行するものである、としてもよい。
【００８６】  これによれば、最低運賃分の資金を有するものの、必要な運賃分の資金は有していないユーザに関して、当該機会に関する入出場は許容するものの、例えば所定の管理者による判断と指示の下、その後の入場希望に対しては拒否することで、未払い運賃の早めの精算を当該ユーザに促すことが出来る。つまり、上述の機会における入出場は許容して交通機関ユーザにおける良好な利便性を確保する一方、その後の利用機会での精算をより確実なものとすることで交通事業者や決済事業者における決済リスクを低減可能となる。
【００８７】  また、本実施形態の運賃決済システムにおいて、前記演算装置は、前記利用制限対象情報に識別情報が登録された運賃決済用媒体に関して、未払い運賃に関する精算完了の通知を所定装置から受信した場合、前記利用制限対象情報における当該識別情報の登録を削除する処理を更に実行するものである、としてもよい。
【００８８】  これによれば、未払い運賃の精算を行ったユーザに関して、迅速かつ確実に当該交通機関の利用制限対象から除外し、それ以後の機会における入出場を許容して交通機関ユーザにおける良好な利便性を確保する一方、利用制限対象情報でのユーザ管理を確実なものとすることで交通事業者や決済事業者における決済リスクをより低減可能となる。
【００８９】  また、本実施形態の運賃決済システムにおいて、前記演算装置は、所定のネットワークを介して前記交通機関の駅務機器より前記読取り結果を取得し、前記識別情報が前記利用制限情報に含まれていない場合、前記ネットワークを介して前記駅務機器に対して入場許可を通知し、前記運賃決済用媒体に関する最低運賃分の決済要求を所定のネットワークを介して所定の決済システムに通知するものである、としてもよい。
【００９０】  これによれば、運賃決済システムが、駅務機器等の他装置と遠隔地に設置され、互いにネットワークで結ばれた状況に対応可能である。
【００９１】  また、本実施形態の運賃決済システムにおいて、前記演算装置による各処理に対応した機能を、所定ネットワーク上におけるクラウドサービスとして他装置に提供する構成としてもよい。
【００９２】  これによれば、運賃決済システムをクラウドサービスとして提供することが可能となり、ユーザとしては運賃決済システム導入のコストや手間が大幅に低減され、また、運賃決済システム自体の運用管理の手間やコストも低減される。
【００９３】  また、本実施形態の運賃決済方法において、前記情報処理システムが、前記最低運賃分の決済要求に伴う前記決済システムでの決済結果が、決済失敗を示すものであった場合、当該運賃決済用媒体の識別情報を、前記利用制限対象情報に書き込む処理を実行し、所定の駅務機器より得た、当該駅務機器での出場希望者の運賃決済用媒体に関する読取り結果が含む、運賃決済用媒体の識別情報が、前記利用制限対象情報に書き込まれた前記識別情報である場合、前記駅務機器に対して出場拒否を通知する処理を更に実行する、としてもよい。
【００９４】  また、本実施形態の運賃決済方法において、前記情報処理システムが、前記最低運賃分の決済要求に伴う前記決済システムでの決済結果が、決済成功を示すものであり、その後、所定の駅務機器より出場希望者に関して得た読取り結果が、当該運賃決済用媒体に関するものであった場合、当該出場希望者に関する運賃精算要求を、前記決済システムに通知する処理を更に実行する、としてもよい。
【００９５】  また、本実施形態の運賃決済方法において、前記情報処理システムが、前記運賃精算要求に伴う前記決済システムでの精算結果が、精算失敗を示すものであり、かつ、所定指示を所定装置より受けた場合、当該運賃決済用媒体の識別情報を、前記利用制限対象情報に書き込む処理を実行する、としてもよい。
【００９６】  また、本実施形態の運賃決済方法において、前記情報処理システムが、前記利用制限対象情報に識別情報が登録された運賃決済用媒体に関して、未払い運賃に関する精算完了の通知を所定装置から受信した場合、前記利用制限対象情報における当該識別情報の登録を削除する処理を更に実行する、としてもよい。
【００９７】  また、本実施形態の運賃決済方法において、前記情報処理システムが、所定のネットワークを介して前記交通機関の駅務機器より前記読取り結果を取得し、前記識別情報が前記利用制限情報に含まれていない場合、前記ネットワークを介して前記駅務機器に対して入場許可を通知し、前記運賃決済用媒体に関する最低運賃分の決済要求を所定のネットワークを介して所定の決済システムに通知する、としてもよい。
【００９８】  また、本実施形態の運賃決済方法において、前記演算装置による各処理に対応した機能を、所定ネットワーク上におけるクラウドサービスとして他装置に提供するとしてもよい。
【符号の説明】
【００９９】１０  ネットワーク５０  銀行ＩＣカード（運賃決済用媒体）１００  運賃決済システム１０１  記憶装置１０２  プログラム１０３  メモリ１０４  演算装置１０５  通信装置１１０  最低運賃情報１２５  ブロックリスト（利用制限対象情報）１２６  カード情報テーブル１２７  運賃計算用テーブル２００  駅務機器２１０  カードリーダ２１１  開閉扉３００  金融機関サーバ（決済システム）３２５  口座管理情報４００  精算用端末
【図１】
0006761533.tif 000002
【図２】
0006761533.tif 000003
【図３】
0006761533.tif 000004
【図４】
0006761533.tif 000005
【図５】
0006761533.tif 000006
【図６】
0006761533.tif 000007
【図７】
0006761533.tif 000008
【図８】
0006761533.tif 000009
【図９】
0006761533.tif 000010
【図１０】
0006761533.tif 000011